(57)【要約】      （修正有）【課題】上下顎大臼歯の近遠心移動や圧下等の３次元的コントロールを任意に行うことができ、植立及び撤去が容易であって、術後感染や除去時の粘膜損傷の恐れが少なく、痛みや違和感を最小限に抑えることができる歯科矯正用支持体を提供する。【解決手段】歯科矯正用支持体が、顎骨に固定する固定部２１と、口腔内に露出する露出部２３と、固定部２１と露出部２３の間に位置し可動粘膜を貫通する可動粘膜貫通部２２とを備え、全体的にプレートで形成されており、複数のネジ止め用穴２４が固定部２１のみに形成され、矯正力を与えるバネやゴムを係止するための複数の連続した係止部２５が露出部２３に設けられ、その係止部２５が２連以上の突起２５で構成され、それらの突起２５が可動粘膜貫通部２２の両側に突出している。【選択図】図１
2004174278.tif 000002
【特許請求の範囲】
【請求項１】
顎骨に固定する固定部（２１）と、口腔内に露出する露出部（２３）と、固定部（２１）および露出部（２３）の間に位置し可動粘膜を貫通する可動粘膜貫通部（２２）とを備え、全体的にプレートで形成されており、複数のネジ止め用穴（１４、２４）が固定部（２１）のみに形成されており、矯正力を与えるバネやゴム（１９）を係止するための複数の連続した係止部（２５）が露出部（１３、２３）に設けられており、その係止部（２５）が複数の連続した突起（２５）で構成されており、それらの突起（２５）が可動粘膜貫通部（２２）の両側に突出していることを特徴とする歯科矯正用支持体。
【発明の詳細な説明】
【技術分野】
【０００１】
この発明は、歯科矯正用支持体に関するものである。
【背景技術】
【０００２】
歯科矯正治療は様々な方法で行われているが、歯を移動させるためには、移動力を加えるための付勢手段と、それを固定保持するための支点（固定源）が必要である。
【０００３】
付勢手段としては、例えばゴムや板バネ等が用いられている。特許文献１を参照。
【０００４】
また、固定源としては、大臼歯を用いることが多かった。しかし、その場合には、前歯部や小臼歯の移動は行えるが、大臼歯自体を移動することは極めて困難であった。
【０００５】
固定源を口腔外（顎外）に求める方法も実施されている。例えば、頭部にヘッドギアを付けたり、首にネックバンドを装着して固定源するのである。しかし、このような方法では、顎外に固定装置が配置されるため、治療の成果が患者の協力度に左右される。また、何らかの外的要因によって固定装置が外れることもあった。
【特許文献１】米国特許４，９８８，２９２
【発明の開示】
【発明が解決しようとする課題】
【０００６】
前述のような不具合を解消するため、骨内インプラントを応用して、インプラント体を固定源とする方法も行われている。
【０００７】
インプラント法は、骨内にインプラント体を植立し、骨としっかり固着させた後で、その口腔内露出部を固定源とする方法である。
【０００８】
しかし、インプラント法では、ネジ状または棒状のインプラント体を直接骨に植え込んだ後で、インプラント体が骨にしっかりと固着されるまで、治療を待たねばならなかった。
【０００９】
また、従来のインプラント体では、痛みや違和感を伴うことがあり、除去時に粘膜を傷付ける恐れもあった。
【００１０】
さらに、固定源として、形成外科の骨接合用として用いられるミニプレートを転用する方法もある。しかしながら、形成外科用のミニプレートは、口腔内露出を考慮して作られていないため、全てネジ穴が連絡したデザインになっていて、フック部が無いため、取扱いが面倒であった。
【００１１】
このような従来技術の問題点に鑑み、本発明は、上下顎大臼歯の近遠心移動や圧下等の３次元的コントロールを任意に行うことができ、植立及び撤去が容易であって、術後感染や除去時の粘膜損傷の恐れが少なく、痛みや違和感を最小限に抑えることができる歯科矯正用支持体を提供することを目的としている。
【課題を解決するための手段】
【００１２】
本発明は、顎骨に固定する固定部（２１）と、口腔内に露出する露出部（２３）と、固定部（２１）および露出部（２３）の間に位置し可動粘膜を貫通する可動粘膜貫通部（２２）とを備え、全体的にプレートで形成されており、複数のネジ止め用穴（１４、２４）が固定部（２１）のみに形成されており、矯正力を与えるバネやゴム（１９）を係止するための複数の連続した係止部（２５）が露出部（１３、２３）に設けられており、その係止部（２５）が複数の連続した突起（２５）で構成されており、それらの突起（２５）が可動粘膜貫通部（２２）の両側に突出していることを特徴とする歯科矯正用支持体を要旨としている。
【発明の効果】
【００１３】
本発明の歯科矯正用支持体によれば、上下顎大臼歯の３次元的コントロールを任意に行うことができ、術後感染や除去時の粘膜損傷の恐れが少なく、痛みや違和感を最小限に抑えることができる。
【００１４】
複数のネジ止め用穴を固定部のみに形成した場合には、植立及び撤去が容易であって、支持体植立直後でも固定源として歯芽移動治療を開始できる。
【００１５】
バネやゴムを係止するための複数の連続した係止部として複数の連続した突起を露出部に設けるので、係止に使用しない係止部の一部を除去できる。そのため、係止部の所望の位置から移動力を掛けることができ、かつ、不用の係止部を容易にカットできる。その結果、機能的マイナス無しに必要な係止部分のみを残すことが可能である。
【発明を実施するための形態】
【００１６】
矯正力を与えるバネやゴムを係止するための複数の連続した係止部を露出部に設け、係止部の不用の部分を除去できる構成にすると良い。
【００１７】
一連の突起（２連以上の突起）によって係止部を構成する。
【００１８】
本発明の支持体の材質としては、生体に対して害の少ない材料例えばチタン、チタン合金、ステンレス合金などが好ましい。
【実施例】
【００１９】
以下、図面を参照して本発明の実施例を説明する。
【００２０】
図１は本発明の歯科矯正用支持体の１つの実施例を示す平面図とその固定部の断面図である。
【００２１】
歯科矯正用支持体２０は全体的にプレートで形成されており、顎骨に固定するための固定部２１と、口腔内に露出する露出部２３と、固定部２１と露出部２３の間に位置し可動粘膜を貫通する可動粘膜貫通部２２とを備えている。
【００２２】
支持体２０は、例えばチタンやチタン合金で形成することができる。
【００２３】
支持体２０は、治療に際して、固定部２１と可動粘膜貫通部２２の間で適宜折り曲げて用いられる。
【００２４】
固定部２１は２つのネジ止め用穴２４を有している。各穴２４は、ネジの頭部に適合するように円錐状になっている。図１の（Ｂ）と（Ｃ）に示すように、ネジ止め用穴２４の向きは２種類あって、治療時のフックの向きと折り曲げ方向に応じて選択する。
【００２５】
固定部２１の骨接触面２６、すなわちネジ止め用穴２４の小径側の面２６は、サンドブラストによって粗面加工されている。反対側の可動粘膜接触面には、鏡面加工を施しても良い。
【００２６】
露出部２３は口腔内に露出する部分であり、矯正力を与えるバネやゴム等を係止するための連続した係止部２５を備えている。図示した実施例では、係止部２５は３連の突起として形成されている。
【００２７】
固定部２１と露出部２３の間の可動粘膜貫通部２２の表面は、表面粗さの最大高さが０．１μｍ以下の鏡面になっている。
【００２８】
また、連続する係止部として、３連の突起２５が両側に突出した形で形成されている。すなわち、図１の（Ａ）によく示されているように、可動粘膜貫通部２２は同一の幅になっており、各突起２５は可動粘膜貫通部２２の幅よりも外向きに突き出る形になっている。
【００２９】
なお、本発明は前述の実施例に限定されない。例えば、係止部として機能する突起は３個に限らず、２個または４個以上であっても良い。
【図面の簡単な説明】
【００３０】
【図１】本発明の１つの実施例を示しており、（Ａ）はその平面図、（Ｂ）と（Ｃ）はネジ止めプレートの断面図。
【符号の説明】
【００３１】
２０    歯科矯正用支持体
２１    固定部
２２    可動粘膜貫通部
２３    露出部
２４    ネジ止め用穴
２５    係止部
２６    骨接触面
【図１】
2004174278.tif 000003